(57)【要約】【解決手段】本発明は、パネル本体１と該パネル本体１に取り付けられる絶縁機能を有する板材２とからなるフロアパネルＰにおいて、該フロアパネルＰを、前記パネル本体１と、該パネル本体１に取り外し可能に取り付けられた前記絶縁機能を有する板材２とにより構成したものである。【効果】損傷した板材を、簡単に、新しい板材と交換することができるとともに、フロアパネルを廃棄する際にも、簡単に、パネル本体から板材を取り外すことができるので、フロアパネルのリサイクル時における分別作業の作業性が向上する。【選択図】図６
2009281072.tif 000002
【特許請求の範囲】
【請求項１】
パネル本体と該パネル本体に取り付けられる絶縁機能を有する板材とからなるフロアパネルにおいて、該フロアパネルが、前記パネル本体と、該パネル本体に取り外し可能に取り付けられた前記板材とにより構成されていることを特徴とするフロアパネル。
【発明の詳細な説明】
【技術分野】
【０００１】
本発明は、コンピューターや通信機器等の電気通信機器が設置される床構造を構成するフロアパネルに関するものである。
【背景技術】
【０００２】
ダイカスト製のパネル本体と該パネル本体の上面に貼着された絶縁機能を有するゴムシートとから構成されたフロアパネルが、一例として、特許文献１に開示されている。
【０００３】
【特許文献１】実用新案登録第３１２３５１８号公報
【発明の開示】
【発明が解決しようとする課題】
【０００４】
従来のフロアパネルにおいては、損傷したゴムシートの交換や、或いは、フロアパネルを廃棄する際には、パネル本体からゴムシートを剥離する必要があるが、上述した従来のフロアパネルにおいては、パネル本体とゴムシートとが、接着剤により、貼着されているために、ゴムシートのパネル本体からの剥離作業に、相当の時間と労力が必要であった。
【０００５】
本発明の目的は、上述した従来のフロアパネルが有する課題を解決することにある。
【課題を解決するための手段】
【０００６】
本発明は、上述した目的を達成するために、パネル本体と該パネル本体に取り付けられる絶縁機能を有する板材とからなるフロアパネルにおいて、該フロアパネルを、前記パネル本体と、該パネル本体に取り外し可能に取り付けられた前記絶縁機能を有する板材とにより構成したものである。
【発明の効果】
【０００７】
パネル本体と該パネル本体に取り付けられる絶縁機能を有する板材とからなるフロアパネルにおいて、該フロアパネルを、パネル本体と、該パネル本体に取り外し可能に取り付けられた絶縁機能を有する板材とにより構成したので、損傷した板材を、簡単に、新しい板材と交換することができるとともに、フロアパネルを廃棄する際にも、簡単に、パネル本体から板材を取り外すことができるので、フロアパネルのリサイクル時における分別作業の作業性が向上する。
【０００８】
また、絶縁機能を有する板材を、従来のゴムシートに代えて、合成樹脂、特に、硬質合成樹脂で形成することにより、板材の損傷を防止することができ、従って、フロアパネルの耐久性を向上することができる。
【実施例】
【０００９】
以下に、本発明の実施例について説明するが、本発明の趣旨を越えない限り、何ら、本実施例に限定されるものではない。
【００１０】
先ず最初に、図１及び図２を用いて、本発明のフロアパネルの布設状態について概説する。なお、以下の実施例においては、フロアパネルの平面形状が正方形に形成されている実施例が示されているが、フロアパネルの平面形状は、正方形に限定されるものではない。
【００１１】
スラブＳに線引きされた正方形の角部には、４本の支持部材Ｈが配置されており、支持部材Ｈの上下動可能な載置部ｈ１の垂直突部ｈ１ａを、フロアパネルＰの角部付近に位置する空間部に挿入することにより、１つのフロアパネルＰが、４本の支持部材Ｈにより支持されるように構成されている。
【００１２】
フロアパネルＰは、ダイカスト製のパネル本体１と該パネル本体１の上面に、取り外し可能に取り付けられる絶縁機能を有する板材２とにより構成されている。
【００１３】
図３に示されているように、パネル本体１は、平面形が正方形の板状天部１ａと該板状天部１ａの周縁から垂設された周壁部１ｂとを有しており、また、パネル本体１には、周壁部１ｂを形成する相対する側壁１ｂ１を連結するとともに、側壁１ｂ１に平行な複数の補強リブ１ｃが形成されている。
【００１４】
また、パネル本体１を構成する板状天部１ａの適当な箇所には、透孔１ｄが、板状天部１ａを貫通するように穿設されている。本実施例には、板状天部１ａの４つの角部及び該角部の中間に位置する板状天部１ａに、透孔１ｄが穿設されている例が示されている。
【００１５】
図４及び図５に示されているように、絶縁機能を有する板材２は、その平面形が、パネル本体１の平面形と同一に形成されており、板材２の裏面２ａには、パネル本体１を構成する板状天部１ａに形成された透孔１ｄに対応して、円柱状凹部２ｂが形成されている。
【００１６】
板材２の裏面２ａに形成された円柱状凹部２ｂは、板材２を貫通することがないように構成されている。換言すれば、円柱状凹部２ｂには、天部２ｂ１が形成されている。また、円柱状凹部２ｂの内周面には、ネジ溝２ｂ２が刻設されている。
【００１７】
パネル本体１に、板材２を取り付けるには、図６に示されているように、パネル本体１に穿設された透孔１ｄに、パネル本体１の下方から、ネジ３のネジ部３ａを挿通するとともに、ネジ３のネジ部３ａを、板材２の裏面２ａに形成された円柱状凹部２ｂのネジ溝２ｂ２に螺合させることにより、板材２を、ネジ３を介して、パネル本体１に、取り外し自在に取り付ける。
【００１８】
なお、上述した実施例には、パネル本体１の板状天部１ａに、ネジ３が挿通可能な透孔１ｄが穿設されている例が示されているが、透孔１ｄに代えて、ネジ３のネジ部３ａが、螺合されるネジ孔を形成することもできる。
【００１９】
絶縁機能を有する板材２は、合成樹脂で形成することが好ましく、例えば、絶縁機能を有する塩化ビニル樹脂やエポキシ樹脂やポリエチレンテレフタレート樹脂等を使用することができる。
【００２０】
なお、上述した実施例には、パネル本体１と絶縁機能を有する板材２とを、ネジ３を介して、取り外し自在に取り付けるように構成した例が示されているが、板材２のパネル本体１への取り外し自在な取り付け手段に関しては、公知の種々の取り付け手段を採用することができる。例えば、パネル本体１の板状天部１ａに形成された透孔１ｄ及び板材２の裏面２ａに形成された円柱状凹部２ｂを省略し、パネル本体１の側部と該パネル本体１に重ねられた板材２の側部に、公知のコの字のクリップを、パネル本体１と板材２とを挟持するように配設することにより、コの字のクリップにより、パネル本体１に、取り外し自在に、板材２を取り付けることもできる。
【００２１】
上述したように、フロアパネルＰを、パネル本体１と、該パネル本体１に取り外し可能に取り付けられた絶縁機能を有する板材２とにより構成したので、損傷した板材２を、簡単に、新しい板材２と交換することができるとともに、フロアパネルＰを廃棄する際にも、簡単に、パネル本体１から板材２を取り外すことができるので、フロアパネルＰのリサイクル時における分別作業の作業性が向上する。
【００２２】
また、絶縁機能を有する板材２を、上述した従来のゴムシートに代えて、合成樹脂、特に、硬質合成樹脂で形成することにより、板材２の損傷を防止することができ、従って、フロアパネルＰの耐久性を向上することができる。
【図面の簡単な説明】
【００２３】
【図１】図１は、本発明のフロアパネルが布設された状態の床構造の正面図である。
【図２】図２は、本発明のフロアパネルが布設された状態の床構造の斜視図である。
【図３】図３は、本発明のフロアパネルを構成するパネル本体の斜視図である。
【図４】図４は、本発明のフロアパネルを構成する板材の斜視図である。
【図５】図５は、本発明のフロアパネルを構成する板材の一部垂直断面を含む部分拡大斜視図である。
【図６】図６は、本発明のフロアパネルを構成するパネル本体、板材及びネジの部分分解斜視図である。
【符号の説明】
【００２４】
Ｈ・・・・・・・・支持部材
Ｐ・・・・・・・・フロアパネル
１・・・・・・・・パネル本体
２・・・・・・・・板材
３・・・・・・・・ネジ
【図１】
2009281072.tif 000003
【図２】
2009281072.tif 000004
【図３】
2009281072.tif 000005
【図４】
2009281072.tif 000006
【図５】
2009281072.tif 000007
【図６】
2009281072.tif 000008